(57)【要約】【課題】ラジオ放送に多重される情報を一旦キャッチアップしたときは当該情報の不安定な受信を防止することができかつリスナー（受信者）に違和感を与えない放送波受信装置を提供する。【解決手段】信号検出回路３ａが放送受信信号の強度を判定する。放送受信信号の強度が所定のレベル未満であれば、電子スイッチ回路１０がオフ状態になり、ＲＤＳデコーダ５にＲＤＳデータが入力されないようにする。また、ＲＤＳ識別回路５ａは、受信した放送がＲＤＳ放送であると判定した場合、スイッチングトランジスタＴｒ２をオンにして、バッファアンプ４の増幅度を増大させる。【選択図】      図１
2004229026.tif 000002
【特許請求の範囲】
【請求項１】
ラジオ放送に多重される情報を受信する放送波受信装置であって、
放送受信信号を中間周波信号に変換するチューナ手段と、
前記チューナ手段より出力される中間周波信号を増幅し復調する中間周波増幅・復調手段と、
前記中間周波増幅・復調手段から出力される信号に含まれる文字等の情報を除去した後に音声信号に変換する音声復調手段と、
前記中間周波増幅・復調手段から出力される信号を増幅する増幅手段と、
前記増幅手段からの出力信号に基づいて受信した放送が多重放送であるか否かを判定して判定信号を出力する多重放送判定手段と、
前記増幅手段からの出力信号に含まれる文字等の情報を復調する情報復調手段と、
前記情報復調手段からの出力信号に基づいて文字等の情報を表示する表示手段と、
前記放送受信信号の強度を判定する信号検出手段と、
を備え、
前記放送受信信号の強度が所定のレベル以上であり、かつ受信した放送が多重放送であると判定された場合にのみ前記増幅手段が増幅度を増大させることを特徴とする放送波受信装置。
【請求項２】
前記中間周波増幅・復調手段と前記増幅手段との間又は前記増幅手段と前記情報復調手段との間にスイッチ手段を備え、
前記スイッチ手段が、前記信号検出手段からの出力信号に基づいて前記放送受信信号の強度が所定のレベル以上である場合にのみオン状態になる請求項１に記載の放送波受信装置。
【発明の詳細な説明】
【０００１】
【発明の属する技術分野】
本発明は、ラジオ放送に多重される情報を受信する放送波受信装置に関するものである。
【０００２】
【従来の技術】
従来の放送波受信装置として、ここではＦＭ多重データ放送の一種であるＲＤＳ（ラジオ・データ・システム）放送を受信できるＲＤＳ放送受信機を例に挙げて説明する。
【０００３】
従来のＲＤＳ放送受信機の構成を図２に示す。アンテナ１は、ＲＤＳ放送局からの放送電波とＲＤＳ放送局以外の放送局からの放送電波とのいずれも区別なく受信する。チューナフロントエンド２は、アンテナ１で受信された放送電波のうち選局された放送電波を増幅し、中間周波信号に変換し、該中間周波信号を中間周波増幅・復調部３に出力する。
【０００４】
中間周波増幅・復調部３は、中間周波信号を増幅した後にＦＭ復調し、ＦＭ復調信号を得る。ＲＤＳ放送局が選局されている場合、このＦＭ復調信号の中にデジタル変調されているＲＤＳデータが含まれている。
【０００５】
中間周波増幅・復調部３は、信号検出回路３ａと、ＳＤ端子３ｂと、ベースが信号検出回路３ａの出力側に接続されコレクタがＳＤ端子３ｂに接続されエミッタが接地されるＮＰＮ型スイッチングトランジスタＴｒ１とを具備している。ＳＤ端子３ｂは、抵抗Ｒ１２を介して直流電源＋Ｂに接続され、バイパスコンデンサＣ６を介して接地され、マイクロコンピュータ６が具備するＳＤ端子６ａに接続される。信号検出回路３ａは、中間周波信号に基づいて、アンテナ１から入る放送電波の信号の強度（アンテナ入力信号レベル）が所定のレベル以上であるか否を判定する。放送電波の信号強度が所定のレベル未満であれば、信号検出回路３ａはスイッチングトランジスタＴｒ１をオフにするので、ＳＤ端子３ｂはＨｉｇｈレベルとなり、これに伴ってＳＤ端子６ａもＨｉｇｈレベルとなる。一方、放送電波の信号強度が所定のレベル以上であれば、信号検出回路３ａはスイッチングトランジスタＴｒ１をオンにするので、ＳＤ端子３ｂはＬｏｗレベルとなり、これに伴ってＳＤ端子６ａもＬｏｗレベルとなる。マイクロコンピュータ６はＳＤ端子６ａに入力される信号をオートチューニング用制御信号として用いる。アンテナ１から入る放送電波の信号レベルが所定のレベル以上の強度であれば、ＳＤ端子６ａに入力される信号はＨｉｇｈレベルからＬｏｗレベルに変化し、マイクロコンピュータ６はこの変化を検出すると、オートチューニングストップの命令をチューナフロントエンド２にする（マイクロコンピュータ６からチューナフロントエンド２への制御ラインは不図示）。
【０００６】
バッファアンプ４は、中間周波増幅・復調部３から出力されるＦＭ復調信号を入力し、増幅する。ＲＤＳデコーダ５は、バッファアンプ４の出力信号に含まれているＲＤＳデータをデコードし、そのデコードされたデータとクロック信号とをマイクロコンピュータ６に出力する。マイクロコンピュータ６は、デコードされたデータをクロック信号に従って処理し、表示器７に表示データとして出力する。表示器７は、マイクロコンピュータ６から出力される表示データに基づいて文字・数字・記号などのキャラクタデータからなる情報を表示する。
【０００７】
ＲＤＳデコーダ５は、ＲＤＳ識別回路５ａと、ＲＤＳ識別端子５ｂと、ベースがＲＤＳ識別回路５ａの出力側に接続されコレクタがＲＤＳ識別端子５ｂに接続されエミッタが接地されるＮＰＮ型スイッチングトランジスタＴｒ２とを具備している。ＲＤＳ識別回路５ａは、バッファアンプ４の出力信号に基づいて、現在の受信放送がＲＤＳ放送であるか否かを判定する。現在の受信放送がＲＤＳ放送でない場合やＲＤＳ放送電波であってもアンテナ入力信号レベルがＲＤＳデータの表示ができない程度の微弱な状態である場合には、ＲＤＳ識別回路５ａは現在の受信放送がＲＤＳ放送でないと判定してスイッチングトランジスタＴｒ２をオフにするので、ＲＤＳ識別端子５ｂはＨｉｇｈレベルとなる。一方、現在の受信放送がＲＤＳ放送であってかつアンテナ入力信号レベルがＲＤＳデータの表示ができる状態である場合には、ＲＤＳ識別回路５ａは現在の受信放送がＲＤＳ放送であると判定してスイッチングトランジスタＴｒ２をオンにするので、ＲＤＳ識別端子５ｂはＬｏｗレベルとなる。ＲＤＳ識別端子５ｂの出力信号はバッファアンプ４に利用される。
【０００８】
ここで、バッファアンプ４の構成について説明する。デュアルゲート型の電界効果トランジスタＱ１の第１ゲートＧ１がカップリングコンデンサＣ１の一端に接続されるとともに、この電界効果トランジスタＱ１のゼロバイアス設定用の抵抗Ｒ５を介して接地される。なお、カップリングコンデンサＣ１の他端がバッファアンプ４の入力側になる。電界効果トランジスタＱ１のドレインＤがそのドレインの負荷設定用の抵抗Ｒ６の一端に接続され、抵抗Ｒ６の他端が直流電源＋Ｂに接続されているとともにバイパスコンデンサＣ５を介して接地される。また、電界効果トランジスタＱ１のドレインＤはカップリングコンデンサＣ３の一端に接続される。なお、カップリングコンデンサＣ３の他端がバッファアンプ４の出力側になる。電界効果トランジスタＱ１のソースＳが抵抗Ｒ７を介して接地される。電界効果トランジスタＱ１の第２ゲートＧ２がその第２ゲートに対する正のバイアス設定用の抵抗Ｒ８を介して直流電源＋Ｂに接続されるとともに抵抗Ｒ１０とバイパスコンデンサＣ４との並列回路を介して接地される。抵抗Ｒ８の一端は、直流電源＋ＢとバイパスコンデンサＣ５と抵抗Ｒ６とコンデンサＣ２の一端の共通接続点に接続されるとともに、ＰＮＰ型スイッチングトランジスタＴｒ３のエミッタに接続される。なお、コンデンサＣ２の他端は接地される。抵抗Ｒ８の他端は、抵抗Ｒ１０とバイパスコンデンサＣ４と電界効果トランジスタＱ１の第２ゲートとの共通接続点に接続されるとともに抵抗Ｒ９を介してスイッチングトランジスタＴｒ３のコレクタに接続される。抵抗Ｒ８、抵抗Ｒ９、及び抵抗Ｒ１０はいずれも電界効果トランジスタＱ１の第２ゲートＧ２に対する正のバイアス電圧設定用として機能するものであり、そのうちスイッチングトランジスタＴｒ３に直列接続される抵抗Ｒ９はバイアス電圧切り換え用として機能するものである。スイッチングトランジスタＴｒ３のベースはベースバイアス用の抵抗Ｒ１１を介してＲＤＳデコーダ５に設けられるＲＤＳ識別端子５ｂに接続される。
【０００９】
続いてバッファアンプ４の動作について説明する。ＲＤＳ識別端子５ｂの出力信号がＨｉｇｈレベルであれば、スイッチングトランジスタＴｒ３にベースバイアス電流が流れないので、スイッチングトランジスタＴｒ３はオフになる。この場合、直流電源＋Ｂのバイアス電圧が抵抗Ｒ８と抵抗Ｒ１０とで分圧され、その分圧された電圧が電界効果トランジスタＱ１の第２ゲートＧ２に印加される。一方、ＲＤＳ識別端子５ｂの出力信号がＬｏｗレベルであれば、スイッチングトランジスタＴｒ３のベースに、直流電源＋Ｂからエミッタ−ベースを介しさらに抵抗Ｒ１１とオン状態であるスイッチングトランジスタＴｒ２を介してグランドに向かうベースバイアス電流が流れ、スイッチングトランジスタＴｒ３がオンになる。これにより、抵抗Ｒ８に対して抵抗Ｒ９が並列に接続された状態となる。なお、抵抗Ｒ８と抵抗Ｒ９との合成並列抵抗値は抵抗Ｒ８単独の抵抗値より小さい。この場合、直流電源＋Ｂのバイアス電圧が抵抗Ｒ８、抵抗Ｒ９の合成並列抵抗と抵抗Ｒ１０とで分圧され、その分圧された電圧が電界効果トランジスタＱ１の第２ゲートＧ２に印加される。したがって、ＲＤＳ識別端子５ｂの出力信号がＬｏｗレベルである場合は、ＲＤＳ識別端子５ｂの出力信号がＨｉｇｈレベルである場合に比べて電界効果トランジスタＱ１の第２ゲートに対する印加電圧が大きくなる。電界効果トランジスタＱ１の第２ゲートに対する印加電圧が大きくなると、デュアルゲート型の電該効果トランジスタＱ１の性質から相互コンダクタンスも増大し、電界効果トランジスタＱ１の増幅度が増大する。その結果、バッファアンプ４の増幅度が増大する。
【００１０】
なお、中間周波増幅・復調部３から出力されたＦＭ復調信号はローパスフィルタ８によって通常のＦＭ信号が弁別され、ＦＭステレオデコーダ９によってＬチャンネル用音声信号及びＲチャンネル用音声信号に変換され、スピーカ（図示せず）より音声出力される。
【００１１】
図２のＲＤＳ放送受信機は、放送電波の強度がＲＤＳ表示のために必要なアンテナ最小入力レベル時、すなわちスレッシュレベル時に一旦ＲＤＳ表示ができたら、ＲＤＳ識別端子５ｂの出力信号によってバッファアンプ４の増幅度を増加させて、スレッシュレベルから逃れ、ＲＤＳ表示が不安定になることを防止していた。
【００１２】
【特許文献１】
特許第３２２７４８１号公報  （第１図）
【００１３】
【発明が解決しようとする課題】
上述したＳＤ端子３ｂとＲＤＳ端子５ｂは、共にアクティブローの端子である。信号検出回路３ａによって、アンテナから入る放送信号が検出され、所定のレベル、すなわちオートチューニングストップが可能なレベルであると判定されたら、ＳＤ端子３ｂはＨｉｇｈレベルからＬｏｗレベルの電位になる。ＳＤ端子３ｂの電位がＨｉｇｈレベルからＬｏｗレベルになるアンテナ入力信号レベルをＳＤ感度とする。
【００１４】
また、ＲＤＳ識別回路６ａによって、ＲＤＳデータが所定のレベル、すなわちＲＤＳ表示が可能なレベルであると判定されたら、ＲＤＳ端子５ｂはＨｉｇｈレベルからＬｏｗレベルの電位になる。ＲＤＳ識別端子５ｂの電位がＨｉｇｈレベルからＬｏｗレベルになるアンテナ入力信号レベルをＲＤＳ感度とする。
【００１５】
ＳＤ感度とＲＤＳ感度は、通常図３に示すような感度差がある。なお、図３中のＳＳＤはＳＤ端子３ｂの出力信号レベル波形を示し、ＳＲＤＳはＲＤＳ識別端子５ｂの出力信号レベル波形を示し、ＳＥＮＳＤはＳＤ感度を示し、ＳＥＮＲＤＳはＲＤＳ感度を示し、ΔＳＥＮは感度差を示している。図３（ａ）のようにＳＤ感度がＲＤＳ感度より良い（小さい）場合は、ＳＤ感度−ＲＤＳ感度間のアンテナ入力信号レベルの範囲において、オートチューニングストップはできるが、ＲＤＳ表示ができない範囲が生じる。なお、アンテナ入力信号レベルがＲＤＳ感度よりも大きければ、オートチューニングストップができ、かつＲＤＳ表示もできる。
【００１６】
逆に、図３（ｂ）のようにＲＤＳ感度がＳＤ感度より良い（小さい）場合は、ＲＤＳ感度−ＳＤ感度間のアンテナ入力信号レベルの範囲において、ＲＤＳ表示はできるが、オートチューニングストップができない範囲が生じる。なお、アンテナ入力信号レベルがＳＤ感度よりも大きければ、オートチューニングストップができ、かつＲＤＳ表示もできる。
【００１７】
実際には、図３（ａ）の場合より図３（ｂ）の場合の方が多い。上述したようにＳＤ感度とＲＤＳ感度とに感度差があってオートチューニングストップ又はＲＤＳ表示のどちらかができないアンテナ入力信号レベルの範囲が存在するので、リスナー（受信者）はそのアンテナ入力信号レベルの範囲になるような場所で放送受信した場合、違和感を持ちＲＤＳ受信機が故障していると勘違いすることがある。
【００１８】
本発明は、上記の問題点に鑑み、ラジオ放送に多重される情報を一旦キャッチアップしたときは当該情報の不安定な受信を防止することができかつリスナー（受信者）に違和感を与えない放送波受信装置を提供することを目的とする。
【００１９】
【課題を解決するための手段】
上記目的を達成するために、本発明に係る放送波受信装置においては、放送受信信号を中間周波信号に変換するチューナ手段と、前記チューナ手段より出力される中間周波信号を増幅し復調する中間周波増幅・復調手段と、前記中間周波増幅・復調手段から出力される信号に含まれる文字等の情報を除去した後に音声信号に変換する音声復調手段と、前記中間周波増幅・復調手段から出力される信号を増幅する増幅手段と、前記増幅手段からの出力信号に基づいて受信した放送が多重放送であるか否かを判定して判定信号を出力する多重放送判定手段と、前記増幅手段からの出力信号に含まれる文字等の情報を復調する情報復調手段と、前記情報復調手段からの出力信号に基づいて文字等の情報を表示する表示手段と、前記放送受信信号の強度を判定する信号検出手段と、を備える。そして、前記放送受信信号の強度が所定のレベル以上であり、かつ受信した放送が多重放送であると判定された場合にのみ前記増幅手段が増幅度を増大させる。
【００２０】
このような構成により、放送受信信号の強度が所定のレベル以上であることが必要な動作（例えば、オートチューニングストップ）が行えなければ、文字等の情報を表示することもできなくなる。したがって、文字等の情報を表示することができるのに、放送受信信号の強度が所定のレベル以上であることが必要な動作が行えないというような動作状態をなくすことができ、リスナー（受信者）に違和感を与えないようにすることができる。また、放送受信信号の強度が所定のレベル以上であり、かつ受信した放送が多重放送であると判定された場合には、増幅手段の増幅度が増大するので、文字等の情報の表示が出来たり出来なかったりを繰り返す不安定な受信状態を防止することができる。
【００２１】
上記構成の放送波受信装置において、前記中間周波増幅・復調手段と前記増幅手段との間又は前記増幅手段と前記情報復調手段との間にスイッチ手段を備え、
前記スイッチ手段が、前記信号検出手段からの出力信号に基づいて前記放送受信信号の強度が所定のレベル以上である場合にのみオン状態になるようにしてもよい。
【００２２】
このような構成により、放送受信信号の強度が所定のレベル以上であり、かつ受信した放送が多重放送であると判定された場合にのみ増幅手段が増幅度を増大させることを簡素な構成で容易に実現できる。また、スイッチ手段を電子スイッチ回路にすることで、小型化・低コスト化を図ることができる。
【００２３】
【発明の実施の形態】
以下に本発明の一実施形態について図面を参照して説明する。本発明に係る放送波受信装置として、ここではＲＤＳ放送受信機を例に挙げて説明する。
【００２４】
本発明に係るＲＤＳ放送受信機の構成を図１に示す。なお、図１において図２と同一の部分には同一の符号を付し詳細な説明を省略する。図１のＲＤＳ放送受信機は、図２のＲＤＳ放送受信機に電子スイッチ回路１０を新たに設けた構成である。
【００２５】
図１のＲＤＳ放送受信機において、電子スイッチ回路１０はバッファアンプ４とＲＤＳデコーダ５との間に設けられる。電子スイッチ回路１０は、抵抗Ｒ１３と、抵抗Ｒ１４と、抵抗Ｒ１５と、ダイオードＤ１と、コンデンサＣ７とによって構成されている。抵抗Ｒ１３の一端と抵抗Ｒ１４の一端とダイオードＤ１のアノードとの共通接続点が電子スイッチ回路１０の一端となり、バッファアンプ４の出力側に接続される。抵抗Ｒ１３の他端は直流電源＋Ｂに接続され、抵抗Ｒ１４の他端は接地される。ダイオードＤ１のカソードは、抵抗Ｒ１５の一端及びコンデンサＣ７の一端に接続される。抵抗Ｒ１５の他端は中間周波増幅・復調部３のＳＤ端子３ｂに接続される。コンデンサＣ７の他端が電子スイッチ回路１０の他端となり、ＲＤＳデコーダ５の入力側に接続される。なお、ＳＤ端子３ｂの出力信号がＨｉｇｈレベルである場合にダイオードＤ１のアノード印加直流電圧がカソード印加直流電圧より小さくなり、ＳＤ端子３ｂの出力信号がＬｏｗレベルである場合にダイオードＤ１のアノード印加直流電圧がカソード印加直流電圧より大きくなるように、抵抗Ｒ１３の抵抗値と抵抗Ｒ１４の抵抗値が設定される。
【００２６】
続いて図１のＲＤＳ受信機の動作について説明する。アンテナ入力信号レベルがＳＤ感度以上であれば、信号検出回路３ａはスイッチングトランジスタＴｒ１をオンにする。これにより、ＳＤ端子３ｂの出力信号がＨｉｇｈレベルからＬｏｗレベルになる。ＳＤ端子３ｂの出力信号がＨｉｇｈレベルからＬｏｗレベルになると、ダイオードＤ１に順バイアスがかかるので、ダイオードＤ１はオン状態になり、バッファアンプ４から出力されるＦＭ復調信号がダイオードＤ１、コンデンサＣ７を経由してＲＤＳデコーダ５に入力される。
【００２７】
ＦＭ復調信号がＲＤＳデコーダ５に入力されると、ＲＤＳ識別回路５ａは、ＦＭ復調信号に基づいて、現在の受信放送がＲＤＳ放送であるか否かを判定する。現在の受信放送がＲＤＳ放送であってかつアンテナ入力信号レベルがＲＤＳデータの表示ができる状態である場合には、ＲＤＳ識別回路５ａは現在の受信放送がＲＤＳ放送であると判定してスイッチングトランジスタＴｒ２をオンにするので、ＲＤＳ識別端子５ｂの出力信号はＨｉｇｈレベルからＬｏｗレベルとなる。なお、ＦＭ復調信号がＲＤＳデコーダ５に入力されない場合又はＦＭ復調信号がＲＤＳデコーダ５に入力されても現在の受信放送がＲＤＳ放送でない場合やＲＤＳ放送電波であってもアンテナ入力信号レベルがＲＤＳデータの表示ができない程度の微弱な状態である場合には、ＲＤＳ識別回路５ａはスイッチングトランジスタＴｒ２をオフにするので、ＲＤＳ識別端子５ｂの出力信号はＨｉｇｈレベルとなる。
【００２８】
そして、ＲＤＳ識別端子５ｂの出力信号がＨｉｇｈレベルからＬｏｗレベルになれば、図２のＲＤＳ放送受信機と同様にバッファアンプ４の増幅度が増大する。
【００２９】
逆に、アンテナ入力信号レベルがＳＤ感度未満であれば、信号検出回路３ａはスイッチングトランジスタＴｒ１をオフにする。これにより、ＳＤ端子３ｂの出力信号がＨｉｇｈレベルとなる。ＳＤ端子３ｂの出力信号がＨｉｇｈレベルであると、ダイオードＤ１に逆バイアスがかかるので、ダイオードＤ１はオフ状態になり、バッファアンプ４から出力されるＦＭ復調信号はダイオードＤ１で阻止され、ＲＤＳデコーダに入力されない。
【００３０】
このように図１のＲＤＳ放送受信機は、アンテナ入力信号レベルがＳＤ感度以上の場合のみ、電子スイッチ回路１０をオンにしてＲＤＳデコーダ５にＦＭ復調信号が入力されるようにしているので、オートチューニングストップができなければＲＤＳ表示もできないようになる。これにより、ＲＤＳ表示ができるのにオートチューニングストップができないというような動作状態をなくすことができ、リスナー（受信者）に違和感を与えないようにすることができる。また、アンテナ入力信号レベルがＳＤ感度以上の状態で、現在の受信放送がＲＤＳ放送であってかつアンテナ入力信号レベルがＲＤＳデータの表示ができる状態である場合には、バッファアンプ４の増幅度が増大するので、ＲＤＳ表示が出来たり出来なかったりを繰り返す不安定な受信状態を防止することができる。
【００３１】
なお、本実施形態では電子スイッチ回路１０をバッファアンプ４とＲＤＳデコーダ５との間に設けたが、電子スイッチ回路１０を中間周波増幅・復調部３とバッファアンプ４との間に設ける構成にしてもよい。
【００３２】
また、バッファアンプ４における増幅用のトランジスタとしては本実施形態で用いたデュアルゲート型の電界効果トランジスタが好ましいが、増幅度が可変できるものであれば他の増幅素子でも構わない。以下、デュアルゲート型の電界効果トランジスタが好適である理由について説明する。デュアルゲート型の電界効果トランジスタは第１ゲートと第２ゲートとが分離しているため、第１ゲートに信号線を接続し、第２ゲートに制御用の直流バイアスを印加できるという回路構成上の有利さがある。シングルゲート型の電界効果トランジスタの場合は、信号と直流バイアスが重畳される結果、動作が不安定になりやすい。また、デュアルゲート型の電界効果トランジスタはシングルゲート型の電界効果トランジスタに比べて逆伝達係数が小さいので、発振などのおそれが全くなく安定した動作が可能である。また、デュアルゲート型の電界効果トランジスタは電圧制御型であるので、電流制御型のトランジスタより回路構成を簡素化できる。電流制御型のトランジスタを用いる場合、さらにスイッチングトランジスタを１つ追加しなければならない。また、バッファアンプ４においては周辺の回路や信号に悪影響を与えないようにすることが望まれるが、電界効果トランジスタは入出力インピーダンスが大きいので、周辺に与える影響がほとんどない。
【００３３】
また、本発明はＲＤＳ放送を受信するＲＤＳ放送受信機ばかりでなくラジオ放送に多重伝送される放送を受信する受信装置に広く適用することができる。
【００３４】
【発明の効果】
本発明によると、ラジオ放送に多重される情報を一旦キャッチアップしたときは当該情報の不安定な受信を防止することができかつリスナー（受信者）に違和感を与えない放送波受信装置を実現することができる。
【図面の簡単な説明】
【図１】本発明に係るＲＤＳ受信機の構成を示す図である。
【図２】従来のＲＤＳ受信機の構成を示す図である。
【図３】ＳＤ端子の出力信号レベルとＲＤＳ識別端子の出力信号レベルを示す図である。
【符号の説明】
１  アンテナ
２  チューナフロントエンド
３  中間周波増幅・復調部
４  バッファアンプ
５  ＲＤＳデコーダ
６  マイクロコンピュータ
７  表示器
８  ローパスフィルタ
９  ＦＭステレオデコーダ
３ｂ  ＳＤ端子
５ｂ  ＲＤＳ識別端子
【図１】
2004229026.tif 000003
【図２】
2004229026.tif 000004
【図３】
2004229026.tif 000005